(57)【特許請求の範囲】
【請求項１】
マルハナバチ類等の送粉昆虫の栽培施設への導入にあたり、
匂い物質を添加した蜜にて送粉昆虫を飼育し、
その後に、送粉昆虫を収容の巣箱を栽培施設内に配置し、それから、巣箱の出入口近傍に添加した蜜を設置し、送粉昆虫に添加した蜜を吸蜜させそして添加の匂を学習させると共に、
前記巣箱の出入口の近傍への添加した蜜の設置時と前後して添加の蜜を栽培施設内の適所に設置して、送粉昆虫に記憶した匂いを手がかりに施設内を飛行させ、探索させ、前記栽培施設の適所に設置の添加した蜜を吸蜜させ、
その際に、送粉昆虫は添加した蜜の周辺にも探索することから栽培する植物の花に訪花、採餌させることを特徴とするマルハナバチ等の送粉昆虫の栽培施設への導入方法。
【請求項２】
前記匂い物質として、香料が用いられることを特徴とする請求項１のマルハナバチ等の送粉昆虫の栽培施設への導入方法。
【発明の詳細な説明】
【技術分野】
【０００１】
この発明は、マルハナバチの栽培施設への導入するための方法に関する。
【背景技術】
【０００２】
マルハナバチの栽培施設（ビニールハウス等）への導入は、まず栽培施設に設置した後、中のハチを落ち着かせるために、導入後数時間から１晩静地する。その後に、巣の出入口を開放し、巣の出入口から出たハチは着地台を歩いた後に飛び立つようになる。
【０００３】
ハチはその後、巣の周辺を飛び回り、巣の位置や周辺状況を学習するための「学習飛行」を行う。そして、学習し、記憶したハチは続いて餌を探すための飛行を行う。この飛行は、通常、百メートル単位の遠距離で行われる。そのため、狭い空間を認識できないハチは、遠く移動しようとするための天井付近に集中することになる。
【０００４】
時間の経過に伴い飛翔範囲が天井部位から徐々に下がり、施設内全域となる。そして施設内の餌資源である花の探索飛行となり、花を発見することで訪花・採餌を行うようになる。発見した花の種類で採餌を繰り返すことで、花の匂いや色などを学習・記憶し、この花を対象に繰り返し採餌を行うようになる。
【０００５】
しかし、何かの理由で施設内の花を認識できないか、又は発見できない場合には、ハチは外部に餌資源を求めることとなり、再度遠距離飛行を試みようとし、天井付近に集中してしまう。これを繰り返すことで、ハチは消耗して死亡するか、施設の隙間を見つけて逃亡することになる。つまり、ハチの栽培施設内への導入に失敗したことになる。
【発明の開示】
【発明が解決しようとする課題】
【０００６】
マルハナバチの栽培施設への導入の失敗は、下記の種々の原因より成るが、失敗を防ぐための文献はない。
【特許文献１】特記すべき先行文献なし
【０００７】
原因として、１）花自体の状態が良くない。例えば、低温や高温などに植物体がさらされることで、花の状態が悪くなり、ハチを誘引するために花が持つ形質である花の色や形、または匂いが弱くなる。そのために、ハチが花に気付かなくなる。これらのハチを誘引するための花の形質は、花の色ではハチの可視波長領域である紫外線（人間は認識できず）を含んだ色であるため、人間には状態の良し悪しを認識できず、また花の匂いの僅かな差異も認識するため同様のこととなる。
【０００８】
２）施設の状態の問題。送粉昆虫が利用される施設は、３００坪（１，０００ｍ２）を超える面積のものが多い。この面積の施設であればハチは、施設内を飛び回り、花を探すことができる。しかし、面積が小さい施設では、ハチが外に出ようとする行動が強く見られ、施設内を飛び回って花を探すという行動が起こりにくくなる。その結果、天井部を飛び続ける事が多くなり、ハチが花に気付きにくくなっている。
【０００９】
前述した１）の花自体の状態が良くないについては、人間の認識できない事象である。２）についても施設の面積の変更が不可能である。このため、現在のところ、ハチが偶然に訪花し学習することを期待し、依存するしかない。そのため、ハチが訪花に成功するまで導入失敗を繰り返し、複数回巣箱を導入する例が出てきている。
【００１０】
そこで、この発明は、マルハナバチ等の送粉昆虫の栽培施設への導入を確実に行わせしめるようにすることを課題としている。
【課題を解決するための手段】
【００１１】
このため、この発明に係るマルハナバチ等の送粉昆虫の栽培施設への導入方法は、マルハナバチ等の送粉昆虫の栽培施設への導入にあたり、匂い物質を添加した蜜にて送粉昆虫を飼育し、その後に、送粉昆虫を収容の巣箱を栽培施設内に配置し、それから、巣箱の出入口近傍に添加した蜜を設置し、送粉昆虫に添加した蜜を吸蜜させそして添加の匂を学習させると共に、前記巣箱の出入口の近傍への添加した蜜の設置時と前後して添加の蜜を栽培施設内の適所に設置して、送粉昆虫に記憶した匂いを手がかりに施設内を飛行させ、探索させ、前記栽培施設の適所に設置の添加した蜜を吸蜜させ、その際に、送粉昆虫は添加した蜜の周辺にも探索することから栽培する植物の花に訪花、採餌するようになることを特徴としている（請求項１）。
【００１２】
したがって、栽培施設へのマルハナバチ等の送粉昆虫の導入にあたり、まず、送粉昆虫に匂い物質の添加した蜜で飼育し、その後に巣箱を栽培施設内に入れ、それから巣箱の出入口の近傍に添加した蜜を設置し、吸蜜させ、これにより匂いを学習させる。それから、巣箱から離れた場所に設置した匂い物質の添加した蜜の匂いを手がかりに送粉昆虫の飛行が始まり、飛行距離を延ばし、最終的に栽培施設内の送粉植物の花を発見して、訪花するようになってくる。
【００１３】
匂い物質として、植物の花の匂い物質、バニラエッセンスなどの香料でも良い（請求項２）。また、マルハナバチのみならず、ミツバチにも適用できることは勿論である。
【発明の効果】
【００１４】
以上のように、この発明によれば、栽培施設へのマルハナバチ等の送粉昆虫の導入にあたり、まず匂い物質を添加した蜜で飼育し、それから更に出入口近傍に置いた添加した蜜を吸蜜、蜜運びさせることで、送粉昆虫に蜜の匂いを学習させ、その学習させた匂いをもとに、巣箱から離れた位置に設置した匂い物質を添加した蜜に訪れさせ、それによって送粉昆虫が飛行距離を延ばし、最終的に栽培施設内の送粉植物の花を発見し、訪花するようになり、送粉昆虫の導入が成功することになる。
【発明を実施するための最良の形態】
【００１５】
以下、この発明の実施例を図面にもとづいて説明する。
【実施例１】
【００１６】
図１において、送粉昆虫の一つであるマルハナバチの巣箱１が示され、ダンボールや樹脂にて製造された立方体形状に形成され、内部に図示しないが巣本体が収納され、その出入口２，２が巣箱１の一面に形成されている。
【００１７】
前記出入口２，２は、一方が出口で、他方が入口となっており、内部の巣本体を継っている。この出入口２の前面には、マルハナバチの飛び立ち、着地用の着地台３が設けられている。
【００１８】
このような構成の巣箱１内のマルハナバチは、１頭の女王バチに１００頭程の働きバチの集団で生活している。このマルハナバチは、花の蜜以外にも花粉を集める習性を持つため、トマト、ナス等の受粉を行わせるために、近年多く用いられている。
【００１９】
図２において、マルハナバチの栽培施設への導入手順が示されている。マルハナバチは、女王バチ１頭と１００頭程の働きバチが集団となり、前述した巣箱１内に入れられたまま、香料例えばバニラエッセンス等の匂い物質を添加した蜜（以下添加した蜜と称する）による事前飼育（ステップ２０）が行われる。ここで使用される蜜はハチ蜜のみならず、蔗糖、ブドウ糖、果糖水であれば良い。
【００２０】
それから、必要とされる栽培施設内巣箱が設置（ステップ２１）され、中のハチを落ち着かせるために、導入後数時間から１晩静地する。
【００２１】
その後に、巣箱１の出入口２，２近傍の着地台３上に添加した蜜が入った図１に示すような吸蜜器４が載せられる。この吸蜜器４はハチが蜜を吸蜜できる簡単な公知のものである（ステップ２２）。この際に前後して、送粉対象植物の近くにも、図３に示すような例えば造花５に添加した蜜の吸蜜器４が置かれる。
【００２２】
次に、巣出入口２，２の開放が行われる（ステップ２３）。ハチは離巣し、巣出入口２から外部へ出る巣の外への歩行移動（ステップ２４）が行われるが、出入口近傍に吸蜜器４があると、外部への学習飛行へと移らず、近くの吸蜜器４に来て吸蜜を始める（ステップ２５）。
【００２３】
この吸蜜行動は、事前に添加した蜜で飼育されているために匂いで誘引されて吸蜜するハチの数が多い。吸蜜は蜜がなくなるまで行われ、貯蜜のため巣内への移動を繰り返す（ステップ２６）。この一連の行動により、ハチは蜜に添加した匂いを学習することになり、これが巣外にあることを認識する。
【００２４】
出入口近傍に添加した蜜が無くなった時点で、ハチは飛び出し、学習飛行を始める（ステップ２７，２８）。その後施設天井部を飛翔し、さらに施設内全域を探索する（ステップ２９，３０）。
【００２５】
その際、学習して記憶した匂いを手がかりに、施設内に設置の添加した蜜を送粉対象植物の花よりも優先的に見つけ出し、吸蜜を開始する（ステップ３１，３２）。そして、十分に吸蜜したら巣に戻り、巣内に蜜を貯め、再び外に出て吸蜜、蜜運びを行う（ステップ３３，３４）。
【００２６】
ハチは巣箱との行き来を繰り返す際に、施設内に設置の添加した蜜の周辺も探索するようになり、最終的に送粉植物の花を発見し該花・採餌するようになり、巣箱との間の行き来を繰り返すことになる（ステップ３５，３７，３８，３９）。即ち、マルハナバチの栽培施設への導入が成功する。
【００２７】
表１は、この発明を実施した例、表２はこの発明を実施しなかった例が示され、該花（トマトの花）への飛翔または吸蜜の個体数が示されている。これによると、巣箱出入口開放後において、６０分間経過しても、表２ではトマトの花に訪花が３回、トマトの近くで匂いを添加した蜜を入れた吸蜜器へは６回であるのに対し、表１では、トマトの花に訪花が１０７回、トマトの近くで匂いを添加した蜜を入れた吸蜜器へは１０８回で、その差が明らかになっている。即ち、マルハナバチの栽培施設内の導入方法として、充分な効果が表れている。なお、実験栽培施設の面積は１２０ｍ２、作物はミニトマト、栽培株数は５株、女王バチ１頭、働きバチ１００頭入りの巣箱であった。
【００２８】
【表１】
0004968584.tif 000002
【００２９】
【表２】
0004968584.tif 000003
【図面の簡単な説明】
【００３０】
【図１】この発明の巣箱全体の斜視図である。
【図２】マルハナバチ等の送粉昆虫の栽培施設への導入方法のフローチャート
【図３】匂いを添加した蜜の吸蜜器を取付けた造花の斜視図である。
【符号の説明】
【００３１】
１  巣箱
２  出入口
３  着地台
４  吸蜜器
５  造花
【図１】
0004968584.tif 000004
【図２】
0004968584.tif 000005
【図３】
0004968584.tif 000006